(57)【特許請求の範囲】
【請求項１】
遊技を制御する制御基板を収容する基板ケースを備えた遊技機であって、
前記基板ケースは、開口部を有し前記制御基板が収容されるベース体と、
前記ベース体の前記開口部を開閉可能な蓋体と、前記ベース体の一端と前記蓋体の一端とを一体成形により連設し、かつ前記ベース体及び前記蓋体の開閉に従動して折曲可能な可撓性を有するヒンジ部と、
前記基板ケースのいずれかの位置に貼付され、前記ベース体から前記蓋体が開放されることに基づいて、破損、または、貼付された状態から剥がれることにより痕跡を残す封印シールと、
前記ベース体及び前記蓋体の前記一端以外の端部に、前記ベース体及び前記蓋体を封印状態に閉塞可能な封止部とを備えたことを特徴とする遊技機。
【請求項２】
前記ヒンジ部は、前記ベース体側に連設されたベース体側ヒンジ部と、前記蓋体側に連設された蓋体側ヒンジ部から構成されており、前記ベース体側ヒンジ部または前記蓋体側ヒンジ部のいずれか一方に孔部を設け、いずれか他方に前記孔部に向かって突出する突出部を設け、前記ベース体と前記蓋体とを封印状態に組付けた状態において、前記突出部の先端面が前記孔部を通って前記ベース体側ヒンジ部または前記蓋体側ヒンジ部のいずれか一方の表面の同一面上に位置するようにし、前記封印シールを前記ヒンジ部に貼付することによって前記先端面にも併せて貼付可能とすることを特徴とする請求項１記載の遊技機。
【請求項３】
前記ベース体側ヒンジ部または前記蓋体側ヒンジ部のいずれか一方に前記孔部と前記突出部を交互に設け、いずれか他方に前記孔部に対向して前記突出部を、前記突出部に対向して前記孔部を交互に設けることを特徴とする請求項２記載の遊技機。
【請求項４】
前記封印シールは、前記ヒンジ部における前記ベース体側ヒンジ部から前記蓋体側ヒンジ部までを跨って貼付されたことを特徴とする請求項２または３に記載の遊技機。
【発明の詳細な説明】
【技術分野】
【０００１】
本発明は、開封しても開封痕を確実に残すことができ、かつ２次利用ができない制御基板の基板ケースを備えた遊技機に関する。
【背景技術】
【０００２】
従来、パチンコ機やスロットマシン等の遊技機においては、遊技を制御するＣＰＵ、ＲＡＭ、ＲＯＭ等の電子部品を実装した制御基板を収容したベース体と蓋体からなる基板ケースを、制御基板の電子部品を不正に交換する等の不正改造ができないように、カシメピン等の封印手段により封印した状態で、遊技機における筐体内に設けられているものがある。もし、不正に基板ケースを開封した場合には、封印手段を破壊しなければならないため、その破壊の痕跡に基いて、基板ケースの不正な開封を容易に発見することができる（例えば、特許文献１参照）。
【０００３】
また、他の封印手段として、封印シールを基板ケースに貼付するものがある。この封印シールは、一旦貼付して剥がすと痕跡が残るようになっているため、基板ケースを開放する際に剥がされた痕跡に基づいて、基板ケースの不正な開封を容易に発見することができる（例えば、特許文献２参照）。
【先行技術文献】
【特許文献】
【０００４】
【特許文献１】特開２００４−０６５７９１公報
【特許文献２】特開２００８−０３６２２８公報
【発明の概要】
【発明が解決しようとする課題】
【０００５】
しかし、上記の特許文献１及び特許文献２に記載された遊技機では、以下のような方法で不正行為がなされた場合に、その不正行為を発見することが困難な場合がある。
即ち、上述の特許文献１に記載された遊技機の制御基板ケースにおいては、制御基板ケースの一方（例えば、ベース体）を破壊して、制御基板ケースの他方（例えば、蓋体）や基板ケースの封印手段（カシメピン）等を無傷で回収し、また、他の遊技機における制御基板ケースに制御基板ケースの他方（例えば、蓋体）を破壊して、制御基板ケースの一方（例えば、ベース体）や制御基板ケースの封印手段（カシメピン）等を無傷で回収する。この無傷で回収した封印手段（カシメピン）、蓋体、及びベース体によって基板ケースを再度封印状態に戻すことが可能となる。
【０００６】
また、上述の特許文献２に記載された遊技機の制御基板ケースにおいては、ベース体と蓋体とに跨って封印シールが貼付されているが、貼付された封印シールをベース体と蓋体との接合部に沿ってカッター等で切断することにより、封印シールの切断面が接合部に沿って切断されて開封状態となる。これにより、ベース体と蓋体とを再度組み合わせた際に、封印シールの切断面同士が一致し一見して封印シールが開封状態となっていることがわからない状態に戻すことが可能となる。
【０００７】
即ち、特許文献１及び特許文献２に記載された遊技機では、基板ケースを開封して、制御基板の電子部品を不正に交換する等の不正改造を行ったあと、上記のように擬似的に封印状態に戻されてしまうと、不正行為を発見することが容易ではなかった。
【０００８】
本発明は、上述のような従来の問題に鑑み、開封した際に、確実に痕跡を残すことができ、かつ２次利用ができない制御基板の基板ケースを備える遊技機を提供することを目的とする。
【課題を解決するための手段】
【０００９】
本発明によると、上記課題は、次のようにして解決される。
(１)  遊技を制御する制御基板を収容する基板ケースを備えた遊技機であって、前記基板ケースは、開口部を有し前記制御基板が収容されるベース体と、前記ベース体の前記開口部を開閉可能な蓋体と、前記ベース体の一端と前記蓋体の一端とを一体成形により連設し、かつ前記ベース体及び前記蓋体の開閉に従動して折曲可能な可撓性を有するヒンジ部と、前記基板ケースのいずれかの位置に貼付され、前記ベース体から前記蓋体が開放されることに基づいて、破損、または、貼付された状態から剥がれることにより痕跡を残す封印シールと、前記ベース体及び前記蓋体の前記一端以外の端部に、前記ベース体及び前記蓋体を封印状態に閉塞可能な封止部とを備える。
【００１０】
上記（１）の構成によれば、基板ケースは制御基板を封印状態で収容し、封印状態を開封すると基板ケースに確実に痕跡が残るようになっている。
また、ヒンジ部によってベース体及び蓋体が一体的に構成されているため、個別にベース体と蓋体とを設ける遊技機とは異なり、たとえ、同種の他の遊技機からベース体、蓋体、及びヒンジ部を別々に無傷で回収したとしても再利用することは困難である（即座に再利用することは出来ない）。換言すると、別々に回収されたベース体、蓋体、及びヒンジ部から、一体成型で構成されるベース体、蓋体、及びヒンジ部を復元（再形成）することは困難である。
従って、制御基板の電子部品を不正に交換する等の不正改造を行ったとしても、基板ケース開放時に、痕跡が残るため不正行為を確実に発見することができ、また、ベース体、蓋体、及びヒンジ部を一体成型で構成することにより、たとえば、他の遊技機から別々に回収されたベース体、蓋体及びヒンジ部を基板ケースとして再利用することができなくなるため、不正行為を抑止できる。
【００１１】
(２)  上記（１）項において、前記ヒンジ部は、前記ベース体側に連設されたベース体側ヒンジ部と、前記蓋体側に連設された蓋体側ヒンジ部から構成されており、前記ベース体側ヒンジ部または前記蓋体側ヒンジ部のいずれか一方に孔部を設け、いずれか他方に前記孔部に向かって突出する突出部を設け、前記ベース体と前記蓋体とを封印状態に組付けた状態において、前記突出部の先端面が前記孔部を通って前記ベース体側ヒンジ部または前記蓋体側ヒンジ部のいずれか一方の表面の同一面上に位置するようにし、前記封印シールを前記ヒンジ部に貼付することによって前記先端面にも併せて貼付可能とする。
【００１２】
上記（２）の構成によれば、ヒンジ部の一面と突出部の先端面とに封印シールが貼付されることにより、開放する動作に伴って、突出部は孔部から抜けるため、先端面に貼付された封印シールが破損したりして確実に痕跡が残る。よって、不正行為を確実に発見することが可能となり、不正行為を抑止できる。
【００１３】
(３)  上記（２）項において、前記ベース体側ヒンジ部または前記蓋体側ヒンジ部のいずれか一方に前記孔部と前記突出部を交互に設け、いずれか他方に前記孔部に対向して前記突出部を、前記突出部に対向して前記孔部を交互に設ける。
【００１４】
上記（３）の構成によれば、ベース体側または蓋体側の双方の面から基板ケースが不正開封されたか否かを確認することができるため、不正行為をより確実に発見することが可能となり、不正行為を抑止できる。
【００１５】
（４）  上記（２）または（３）項において、前記封印シールは、前記ヒンジ部における前記ベース体側ヒンジ部から前記蓋体側ヒンジ部までを跨って貼付される。
【００１６】
上記（４）の構成によれば、封印シールをベース体側ヒンジ部及び蓋体側ヒンジ部に貼付するとともに、各突出部の突出面を貼付することができるため、基板ケースの不正開封の際に、突出面が封印シールから剥がれて痕跡が残るため不正行為を確実に発見することができる。
【発明の効果】
【００１７】
本発明によると、不正に制御基板の基板ケースを開封した際に、封印シールが視認可能となるように確実に痕跡を残すことができ、かつ、基板ケースを一体成型で形成したことにより、ベース体、蓋体、またはヒンジ部のそれぞれを無傷で回収したとしても、２次利用ができない構成となっているため、たとえ、基板ケースを開封して不正行為がされたとしても確実に発見することが可能となり不正行為を抑止することができる。
【図面の簡単な説明】
【００１８】
【図１】本発明における実施形態を適用した遊技機の斜視図である。
【図２】同じくガラス枠を開けた状態の遊技機の斜視図である。
【図３】同じく遊技機の背面図である。
【図４】同じく遊技機の主制御基板ユニットの斜視図である。
【図５】同じく遊技機の主制御基板ユニットの背面図である。
【図６】同じく遊技機の主制御基板ユニットの正面図である。
【図７】同じく遊技機の主制御基板ユニットの蓋体を開いた状態の斜視図である。
【図８】同じく遊技機の主制御基板ユニットのヒンジ部が開いた状態の拡大斜視図である。
【図９】同じく遊技機の主制御基板ユニットのヒンジ部が閉じた状態の拡大斜視図である。
【図１０】同じく遊技機の主制御基板ユニットの閉じたヒンジ部に封印シールが貼付された状態の拡大斜視図である。
【図１１】同じく遊技機の主制御基板ユニットの封印シールが貼付されたヒンジ部が開いた状態の拡大斜視図である。
【図１２】図１０におけるＸ−Ｘ線における断面図である。
【図１３】図１１におけるＸＩ−ＸＩ線における断面図である。
【図１４】同じく遊技機の主制御基板ユニットから封印シール及びシール保護カバーが外された状態の斜視図である。
【図１５】変形例１の遊技機の主制御基板ユニットのヒンジ部が開いた状態の拡大斜視図である。
【図１６】同じく遊技機の主制御基板ユニットのヒンジ部が閉じた状態の拡大斜視図である。
【図１７】変形例２（ｉｉ）における遊技機の主制御基板ユニットにおける封印シールが基板ケースに貼付される前及び後の状態、並びに痕跡を残す状態を示す部分拡大斜視図である。
【発明を実施するための形態】
【００１９】
以下、本発明の一実施形態を、図面に基づいて説明する。なお、以下に説明する本実施形態は例示であって、特許請求の範囲に記載された本発明の範囲を不当に制限するものではない。また、本実施形態の遊技機は、パチンコ機に限らず、スロットマシン等の遊技機でもよい。
以下の説明においては、遊技機を説明するための「方向」を遊技者が相対する側である正面側を基準として定義する。即ち、遊技者が相対する側を「正面（前面）」とし、正面とは反対側の面を「裏面」とし、正面から望んで右側を「右」とし、同じく左側を「左」とする。また、遊技機の正面側に取り付けられる各構成部材の説明においても、同様の方向の定義を採用する。
【００２０】
図１及び図２に示すように、遊技機１は、外郭を形成してパチンコホールの島設備に設置される矩形枠状の外枠２を備える。外枠２の前面には、合成樹脂で形成された内枠３が嵌め込まれており、外枠２の下側には、合成樹脂の下飾り板４が設けられる。
【００２１】
内枠３は、左上下部が外枠２の左上下部に設けられた上下一対の内枠ヒンジ部（図示省略）により鉛直軸回りに前後方向へ開閉可能に枢支される。
【００２２】
内枠３の前面には、遊技機１の前面を形成する枠状の前扉５が上下一対の扉ヒンジ部２ａ、２ｂにより鉛直軸回りに前後方向へ開閉可能に枢支されている。前扉５には、ほぼ円形のガラス板６が嵌め込まれている。
【００２３】
さらに、内枠３には、前面の盤面に円形の遊技領域７１を形成した遊技盤７が着脱可能にセットされている。遊技盤７の盤面はガラス板６により覆われ、遊技領域７１は、ガラス板６を透して前方から視認可能となっている。内枠３の前面左下部には、遊技の状況に応じた効果音を出力する低音用のスピーカ８が設けられる。
【００２４】
遊技領域７１には、遊技盤７の下側に設けられる発射装置１１により遊技領域７１に打ち込まれた遊技球の流下方向を変化させる多数の遊技釘（図示省略）、遊技領域７１に打ち込まれた遊技球が入賞可能な始動口７２、複数列の図柄を変動表示可能な例えば液晶ディスプレイからなる表示部７３、遊技者にとって不利な第１状態（遊技球が入賞不能な閉鎖状態）と遊技者にとって有利な第２状態（遊技球が入賞可能な開放状態）とに変化可能な大入賞口７４、遊技領域７１に打ち込まれた遊技球のうち入賞しなかったアウト球を遊技盤７の裏面側に送り出すアウト口７５等が設けられる。
【００２５】
前扉５の左右両側には、遊技の状況に応じて点灯、消灯及び点滅して照明による演出を行う複数の光源を内蔵した照明部９Ｌ、９Ｒが設けられ、また、同じく左右上部には、遊技の状況に応じた効果音を出力する中高音用のスピーカ１０Ｌ、１０Ｒが設けられる。さらに、前扉５の前面下部には、後述する球払出装置４０（図３参照）から払い出される遊技球を貯留して発射装置１１へ供給可能な上皿１２と、上皿１２の真下にあって、上皿１２で貯留しきれなくなった遊技球を貯留し、遊技球を球箱（図示省略）へ排出するための球抜き孔１３ａを有する下皿１３が設けられる。
【００２６】
前扉５の前面右下部には、発射装置１１と電気的に接続されて打球の発射力を調整するための発射ハンドル１４が水平軸回りに回転可能に設けられる。
【００２７】
次に、遊技機の裏面側に設けられた構成部材について説明する。なお、以下の説明においては、構成を説明するための「方向」を遊技機の裏面側を基準として定義する。即ち、裏面側から遊技機を望んで、手前側を「正面（前）」とし、同じく右側を「右」とし、同じく左側を「左」とする。また、各構成部材の説明においては取り付けられた状態に基づいて説明する。
【００２８】
図３に示すように、遊技機１の裏面側の略中央には、遊技を統括的に制御するための主制御基板２５（図７参照）を有する主制御基板ユニット２０が配置され、また、主制御基板ユニット２０の下方には、遊技球の払い出しを制御するための払出制御基板（図示省略）を有する払出制御基板ユニット３０が配置される。
【００２９】
さらに、遊技機１の裏面側の上部には、払出制御基板ユニット３０に電気的に接続され、所定の条件に基づいて遊技球を払い出す球払出装置４０が配置される。その他、遊技機１の裏面側には、遊技上の演出を制御するための副制御基板（図示省略）を有する副制御基板ユニットや、発射ハンドルの回転操作に伴って遊技球を遊技領域７１へ発射させるため制御を行う発射制御基板（図示省略）を有する発射制御基板ユニット（図示省略）等が配置される。
【００３０】
次に、本実施形態の遊技機における主制御基板ユニット２０の構成について図４〜図１４を参照して構成部材毎に詳細に説明する。
（主制御基板ユニット）
図４に示すように、主制御基板ユニット２０は、ＣＰＵ、予め定められた制御プログラムを格納するＲＯＭ、生成された処理情報を一時的に記憶するＲＡＭ等から構成された主制御基板２５（図７参照）と、この主制御基板２５を収容する基板ケース２００とを備えて構成されている。主制御基板２５は、ＣＰＵがＲＯＭに予め記憶されている制御プログラム等からなるソフトウエアを実行することにより、遊技に係る主要な制御を行う。
【００３１】
（基板ケース）
図４に示すように、基板ケース２００は、主制御基板２５を収容するベース体２１０、及びベース体２１０の開放面（図７参照）を閉鎖及び開放する蓋体２２０からなる収容部２０５と、ベース体２１０及び蓋体２２０の一端に、ベース体２１０及び蓋体２２０を組み合わせた状態で、後述するカシメピンＡを装着することにより収容部２０５を封印状態に閉塞可能な封止部２３０と、ベース体２１０及び蓋体２２０の端部同士を連設し、収容部２０５の開閉時に折曲可能なヒンジ部２４０と、ヒンジ部２４０のベース体２１０側の一面から蓋体２２０側の一面までを跨って封印状態に貼付する封印シール２５０と、ヒンジ部２４０及びヒンジ部２４０に貼付した封印シール２５０を覆うシール保護カバー２６０（カバー部材）とを備える。
【００３２】
（収容部）
収容部２０５は、主制御基板２５を収容し、左右方向が長辺、上下方向が短辺となるような長矩形状の略箱型をなしており、上述の通り、収容部２０５は、ベース体２１０と蓋体２２０とから構成される。また、収容部２０５は、外部から主制御基板２５を視認可能とするために透過性の合成樹脂（例えば、ＡＢＳ樹脂等）等で形成される。
【００３３】
（ベース体）
図５及び図７に示すように、ベース体２１０は、正面及び右側面が開放し、左右方向が長辺、上下方向が短辺となるような長矩形状の略箱型をなしており、主制御基板２５を収容して、取付ねじによって固定し得るようになっている。
【００３４】
ベース体２１０の左側部には、ベース体２１０を遊技機１に固定するための取付孔２１１ａを有する取付部２１１が設けられる。
ベース体２１０の左側部でかつ取付部２１１の下方には、基板ケース２００を封印状態に閉塞するための後述する封止部２３０のうちのベース体側封止部２３１が設けられる。
ベース体２１０の右側部には、蓋体２２０の右側部と一体成型によって連設されたヒンジ部２４０が設けられる。
【００３５】
（蓋体）
図６及び図７に示すように、蓋体２２０は、裏面側が開放し、左右方向が長辺、上下方向が短辺となるような長矩形状の略箱型をなしており、ベース体２１０の上下左右の内寸より外形が若干小となるように形成されることによって、ベース体２１０に対して嵌入して組み合わせることが可能となっている。なお、ベース体２１０に蓋体２２０を組み合わせることによりベース体２１０（収容部２０５）は閉鎖され、収容部２０５は仮固定状態となる。
【００３６】
蓋体２２０の上部には、蓋体２２０の長辺方向へ並列するようにコネクタ用孔部２２０ａが複数設けられる。コネクタ用孔部２２０ａは、基板ケース２００に収容された主制御基板２５に設けられるコネクタＣが基板ケース２００の外側に露出させるために設けられており、外側に露出したコネクタＣは、他の構成部材に接続されたハーネス（図示省略）と接続可能となる。
【００３７】
蓋体２２０の左側部で、かつ、ベース体２１０と蓋体２２０とを組み合わせた際にベース体２１０のベース体側封止部２３１に対向する位置に、基板ケース２００を封印状態に閉塞するための後述する封止部２３０のうちの蓋体側封止部２３２が設けられる。
蓋体２２０の右側部には、ベース体２１０の右側部と一体成型によって連設されたヒンジ部２４０が設けられる。
【００３８】
（封止部）
図４〜図７に示すように、封止部２３０は、収容部２０５の左側部に設けられており、ベース体２１０に設けられるベース体側封止部２３１と蓋体２２０に設けられる蓋体側封止部２３２によって構成される。
図５に示すように、ベース体側封止部２３１は、略楕円形をなし、後述する蓋体側封止部２３２の第１筒部２３２ａ及び第２筒部２３２ｂの先端部がそれぞれ嵌合可能な嵌合孔２３１ａ、２３１ｂを有する。
図６に示すように、蓋体側封止部２３２は、先端部が縮径をなす略筒形の第１筒部２３２ａと、同じく先端部が縮径をなす略筒形の第２筒部２３２ｂと、第１筒部２３２ａ及び蓋体２２０の左側端部を連結する第１連結部２３２ｃと、第２筒部２３２ｂ及び蓋体２２０の左側端部を連結する第２連結部２３２ｄと、第１筒部２３２ａ及び第２筒部２３２ｂを連結する第３連結部２３２ｅとから構成される。
【００３９】
収容部２０５が仮固定状態となると、蓋体側封止部２３２の第１筒部２３２ａ及び第２筒部２３２ｂの先端が、ベース体側封止部２３１の嵌合孔２３１ａに嵌合し、第１筒部２３２ａ及び第２筒部２３２ｂの各孔（図示省略）と嵌合孔２３１ａ、２３１ａとが連通する。この状態で、第１筒部２３２ａまたは第２筒部２３２ｂの孔からカシメピンＡを装着することにより、基板ケース２００（収容部２０５）を封印状態に閉塞可能とする。ここで、カシメピンＡは、この挿通孔に一端装着すると抜き取ることができないような不可逆性を有している。従って、封止部２３０にカシメピンＡを装着すると、基板ケース２００（収容部２０５）は、封止部２３０（基板ケース２００）を破壊するか、カシメピンＡを破壊しないと開放することができない封印状態となる。
【００４０】
なお、本実施形態の遊技機では、第１筒部２３２ａのみにカシメピンＡを装着して基板ケース２００（収容部２０５）を封印状態にする。この封印状態を開封するには、第１筒部２３２ａに連結されている第１連結部２３２ｃ及び第２連結部２３２ｅをニッパー等で切断してカシメピンＡが装着された第１筒部２３２ａを取り除けばよい。また、第１筒部２３２ａが取り除かれた場合であっても、第２筒部２３２ｂとカシメピンＡを用いて基板ケース２００（収容部２０５）を封印状態とすることが可能となる。
【００４１】
（ヒンジ部）
主に図７及び図８に示すように、ヒンジ部２４０は、ベース体２１０及び蓋体２２０の右端部同士を連設するとともに、ベース体２１０と蓋体２２０との開閉動作に伴って折曲可能となっている。ヒンジ部２４０はベース体２１０及び蓋体２２０の右端部から右方へ突出するように設けられ、後述するシール保護カバー２６０が装着可能となっている。ヒンジ部２４０は、一端がベース体２１０と一体的に連結する平板状のベース体側ヒンジ部２４０Ａと、同じく一端が蓋体２２０と一体的に連結する平板状の蓋体側ヒンジ部２４０Ｂとの他端同士を一体的に連結することにより１部材で構成されている。
【００４２】
ヒンジ部２４０は、１部材の構成のまま、ベース体２１０と蓋体２２０とを連設した状態で、ベース体２１０と蓋体２２０との組み合わせを可能とするために、折曲可能なように可撓性を有する部材、または弾性変形可能な材質（例えば、エラストマー等）等によって形成する必要がある。なお、本実施形態の遊技機において、基板ケース２００は、例えば、エラストマーで形成されたヒンジ部２４０は、例えば、ＡＢＳ合成樹脂で形成されたベース体２１０及び蓋体２２０を連設する部分が２色成型されている。
【００４３】
このように、ヒンジ部２４０のベース体２１０及び蓋体２２０を連設する部分が２色成型されることによって、硬質のＡＢＳ合成樹脂で形成された収容部２０５によって制御基板２５を保護するとともに、弾性（軟性）のエラストマーから形成されたヒンジ部２４０によって収容部２０５の開閉動作をスムーズに行うことができる。また、ヒンジ部２４０とベース体２１０及び蓋体２２０とが一体成型で構成されることにより、たとえば、他の遊技機から別々に回収されたベース体、蓋体及びヒンジ部を基板ケースとして再利用することができなくなるため、不正行為を抑止できる。
【００４４】
なお、ヒンジ部２４０は、収容部２０５が閉鎖した（ベース体２１０が蓋体２２０によって閉鎖された）仮固定状態となると、基板ケース２００側に完全に折れ曲がった折曲状態となる。一方、ヒンジ部２４０は、収容部２０５が開放状態（ベース体２１０が蓋体２２０によって開放された状態）となると、開放状態となる。
【００４５】
主に図８及び図９に示すように、ベース体側ヒンジ部２４０Ａには、複数の矩形の第１孔部２４１が基板ケース２００の短辺方向へ並設されており、同じく蓋体側ヒンジ部２４０Ｂには、ヒンジ部２４０が折曲状態において第１孔部２４１に対向し、かつ第１孔部２４１へ向かって突出する複数の第２突出部２４４が設けられる。第２突出部２４４は、蓋体側ヒンジ部２４０Ｂの裏面側から後方へ向かって突出する第２突出片２４４ａと第２突出片２４４ａの先端部から左方へ向かって延出する第２突出面２４４ｂ（先端面）から構成される。
【００４６】
また、蓋体側ヒンジ部２４０Ｂには、第２突出部２４４との間に配設されるように、第２孔部２４３が設けられる。さらに、ベース体側ヒンジ部２４０Ａには、第１孔部２４１の間に配置され、ヒンジ部２４０が折曲状態において第２孔部２４３に対向し、かつ第２孔部２４３へ向かって突出する第１突出部２４２が設けられる。第１突出部２４２は、ベース体側ヒンジ部２４０Ａの正面側から前方へ向かって突出する第１突出片２４２ａと第１突出片２４２ａの先端部から左方へ向かって延出する第１突出面２４２ｂ（先端面）から構成される。
【００４７】
収容部２０５が仮固定状態となってヒンジ部２４０が折曲状態となると、ベース体側ヒンジ部２４０Ａが蓋体側ヒンジ部２４０Ｂに対する対向方向へ相対的に移動することにより、第１突出部２４２は、第２孔部２４３を通って第１突出面２４２ｂを蓋体側ヒンジ部２４０Ｂの正面側の面と略同一となるように位置する。同じく、第２突出部２４４は、第１孔部２４１を通って第２突出面２４４ｂをベース体側ヒンジ部２４０Ａの裏面側の面と略同一となるように位置する。
【００４８】
収容部２０５を開放して、折曲状態のヒンジ部２４０が開放状態となると、ベース体側ヒンジ部２４０Ａが蓋体側ヒンジ部２４０Ｂに対する離反方向へ相対的に移動することにより、第１突出部２４２は第２孔部２４３から脱出し、蓋体側ヒンジ部２４０Ｂの表面と同一面上に位置していた第１突出面２４２ｂは没入する。同じく、第２突出部２４４は第１孔部２４１から脱出し、ベース体側ヒンジ部２４０Ａの表面と同一面上に位置していた第２突出面２４４ｂは没入する。
【００４９】
（封印シール）
封印シール２５０は、貼り付け面に予め粘着剤等が塗布されている長矩形状のシールであって、ＩＣタグ（図示省略、以下同じ）が内蔵されている。封印シール２５０は、一旦貼り付けると、その後で封印シール２５０を剥がしても、剥がした痕跡Ｍが残る仕様となっている。なお、このＩＣタグは、固有の識別情報が記憶されたＩＣチップ（図示省略、以下同じ）と、アンテナ（図示省略）とを備えており、ＩＣチップに記憶された識別情報はリーダー機によって読み取りが可能となっている。
【００５０】
図１０及び図１３に示すように、封印シール２５０は、折曲状態のヒンジ部２４０における、ベース体側ヒンジ部２４０Ａと蓋体側ヒンジ部２４０Ｂとに跨って貼付される。このように封印シール２５０を貼付することによって、ベース体側ヒンジ部２４０Ａ及び蓋体側ヒンジ部２４０Ｂの表面上にそれぞれ位置している第１突出部２４２の第１突出面２４２ｂ及び第２突出部２４４の第２突出面２４４ｂにも封印シール２５０が貼付される。従って、図１１及び図１３に示すように、封印シール２５０が一旦ヒンジ部２４０に貼付された状態で、ヒンジ部２４０が開放して、第１突出面２４２ｂ及び第２突出面２４４ｂが没入すると、第１突出面２４２ｂ及び第２突出面２４４ｂから封印シール２５０が剥がれ、剥がれた箇所に痕跡Ｍが残る。
なお、封印シール２５０をベース体側ヒンジ部２４０Ａの第１孔部２４１を有する面（表面）のみ、または、蓋体側ヒンジ部２４０Ｂの第２孔部２４３を有する面（表面）のみに貼付するようにしてもよい。
また、封印シール２５０は、封印シール２５０が貼付された第１突出部２４２及び第２突出部２４４の動きに応じて破損して痕跡が残るように、ミシン目加工等が施されるようなものとしてもよい。
【００５１】
（シール保護カバー）
シール保護カバー２６０（カバー部材）は、左側面が開放した箱型をなしており、内寸が折曲状態のヒンジ部２４０より若干大となっている。シール保護カバー２６０は、折曲状態のヒンジ部２４０に貼付された封印シール２５０を外部からの干渉に対して保護するとともに、ヒンジ部２４０の回動範囲を制限して収容部２０５の開放を阻止するようになっている。
【００５２】
（基板ケースの封印手順）
主制御基板２５を収容した基板ケース２００を封印状態とする手順を説明する。
まず、図７に示すように、主制御基板２５をベース体２１０に収納し、ネジ止めして固定する。そして、ヒンジ部２４０を折曲げて、蓋体２２０をベース体２１０に組み合わせて収容部２０５を仮固定状態とする。その際、ヒンジ部２４０は、折れ曲がることによって、ベース体側ヒンジ部２４０Ａと蓋体側ヒンジ部２４０Ｂとが相対する折曲状態となって、第１突出部２４２の第１突出面２４２ｂは、蓋体側ヒンジ部２４０Ｂの正面側の面と略同一となるように位置し、同じく、第２突出部２４４の第２突出面２４４ｂは、ベース体側ヒンジ部２４０Ａの裏面側の面と略同一となるように位置する。
【００５３】
また、蓋体２２０をベース体２１０に組み合わせて収容部２０５が仮固定状態となると、ベース体側封止部２３１と蓋体側封止部２３２も同様に組み合う状態となって封止部２３０が構成される。そして、この封止部２３０にカシメピンＡを装着する（図４参照）と、収容部２０５は封印状態となる。
続いて、図１４に示すように、封印シール２５０を、折曲状態のヒンジ部２４０における、ベース体側ヒンジ部２４０Ａと蓋体側ヒンジ部２４０Ｂに跨って貼付する。さらに、封印シール２５０が貼付されたヒンジ部２４０にシール保護カバー２６０を装着する。これによって、基板ケース２００の脆弱な部分であるヒンジ部２４０を保護し、かつ封印状態とする。
以上のように、封止部２３０及びカシメピンＡによる収容部２０５の封印と、封印シール２５０及びシール保護カバー２６０によるヒンジ部２４０の封印により基板ケース２００の封印が完了する。
なお、この状態で取付部２１１を介して主制御基板ユニット２０を遊技機１の裏面側にビス止めすることによって主制御基板ユニット２０は遊技機１に固定することができる。
【００５４】
（封印された基板ケースの開放手順）
封印された基板ケース２００を開封する手順を説明する。
まず、封印された基板ケース２００から、シール保護カバー２６０を右側に引き抜き、カシメピンＡが装着された第１筒部２３２ａに連結されている第１連結部２３２ｃ及び第３連結部２３２ｅをニッパー等で切断しカシメピンＡが装着された第１筒部２３２ａを取り除く。第１筒部２３２ａを取り除くことにより収容部２０５の封印状態を解除する。これにより、収容部２０５における物理的に開放を阻止する構成部材が排除され、基板ケース２００の左側から蓋体２２０を、ヒンジ部２４０を中心に開放することができる。
【００５５】
収容部２０５が開放されると、ヒンジ部２４０における第１突出部２４２が現状の位置から没入して第２孔部２４３から抜け出ることによって、蓋体側ヒンジ部２４０Ｂの正面側の面と同一面上に位置していた第１突出部２４２の第１突出面２４２ｂも没入し、図１１及び図１３に示すように、第１突出面２４２ｂに貼付された封印シール２５０は、第１突出面２４２ｂから剥がれ痕跡Ｍが残る。同じく、第２突出部２４４が没入して第１孔部２４１から抜け出ることによって、ベース体側ヒンジ部２４０Ａの裏面側の面と同一面上に位置していた第２突出部２４４の第２突出面２４４ｂも没入し、第２突出面２４４ｂに貼付された封印シール２５０は第２突出面２４４ｂから剥がれ痕跡Ｍが残る。
【００５６】
従って、不正開封の際もこのように痕跡Ｍが残るため、開封されたことを判断することができる。また、封止部２３０においては、第１筒部２３２ａが取り除かれているという痕跡が残るため、ここからも開封されたことを判断することができる。
【００５７】
なお、以上の説明において、基板ケース２００を、主制御基板２５を収容する主制御基板ユニット２０に適用する説明したが、これに限らず、基板等を収容可能な全てのケースに適用することが可能である。
【００５８】
以上、本発明の実施形態について説明したが、本発明の要旨を逸脱しない範囲内で、上記実施形態に対して、次のような変形や変更を施すことが可能である。
（変形例１）
ヒンジ部２４０に設ける第１孔部２４１、第２孔部２４３、第１突出部２４２及び第２突出部２４４の数や配置の組合せは適宜変更可能であって、例えば、以下の組合せのように設定することも可能である。
図１５及び図１６に示すように、蓋体側ヒンジ部２４０Ｂに複数の矩形の第２孔部２４３のみを基板ケース２００の短辺方向へ並設し、ベース体側ヒンジ部２４０Ａにヒンジ部２４０が折曲状態において第２孔部２４３に対向し、かつ第２孔部２４３へ向かって突出する複数の第１突出部２４２のみを設ける。
なお、ベース体側ヒンジ部２４０Ａに孔部のみを設け、蓋体側ヒンジ部２４０Ｂに対応する突出部のみを設けてもよい。
（変形例２）
封印シール２５０を以下のような箇所に貼付してもよい。
（ｉ）封印シール２５０をベース体２１０と蓋体２２０とに跨るように貼付してもよい。封印シール２５０をベース体２１０と蓋体２２０とに跨るように貼付することにより、基板ケース２００を開放する際に封印シール２５０が破損して確実に痕跡が残る。
（ｉｉ）封印シール２５０を蓋体２２０の一部とベース体２１０に設けた所定部材とに跨って貼付してもよい。
例えば、図１７（ａ）に示すように、蓋体２２０は前後方向へ向く挿通孔３２０を設け、ベース体２１０はベース体２１０の内部から前方へ突出する突出部３１０(所定部材)を設ける。突出部３１０は、蓋体２２０をベース体２００に組み合わせた際に、挿通孔３０５を通って、突出部３１０に設けた先端部３１０ａが蓋体２２０の表面とほぼ同一面上に位置するように設定される。図１７（ｂ）に示すように、この状態で封印シール２５０を、蓋体２２０と突出部３１０の先端部３１０ａとに跨って貼付することによって、ベース体２１０から蓋体２２０が開放された場合に、図１７（ｃ）に示すように、突出部３１０が挿通孔３０５から抜け出て、先端部３１０ａが没入することによって、封印シール２５０から突出部３０５の先端面３１０ａが剥がれて痕跡Ｍを残すことができる。即ち、基板ケース２００の開放に基づいて痕跡Ｍを確実に残すことができる。
よって、痕跡Ｍから不正行為を発見することが可能となり、不正行為を抑止できる。
【符号の説明】
【００５９】
１  遊技機  ７  遊技盤  ２０  主制御基板ユニット  ２５  主制御基板
２００  基板ケース  ２０５  収容部２１０  ベース体  ２１１  取付部  ２２０  蓋体  ２３０  封止部  ２３１  ベース体側封止部  ２３１Ａ  受け部  ２３１ａ  縁部  ２３１ｂ  嵌合孔  ２３２  蓋体側封止部  ２３２ａ  第１筒部  ２３２ｂ  第２筒部  ２３２ｃ  第１連結部  ２３２ｄ  第２連結部  ２４０  ヒンジ部  ２４０Ａ  ベース体側ヒンジ部  ２４０Ｂ  蓋体側ヒンジ部  ２４１  第１孔部  ２４２  第１突出部  ２４２ａ  第１突出片  ２４２ｂ  第１突出面  ２４３  第２孔部  ２４４  第２突出部  ２４４ａ  第２突出片  ２４４ｂ  第２突出面  ２５０  封印シール  ２６０  シール保護カバー  ３１０  突出部  ３１０ａ  先端部  ３２０  挿通孔  Ａ  カシメ部  Ｍ  痕跡
【図１】
0005802538.tif 000002
【図２】
0005802538.tif 000003
【図３】
0005802538.tif 000004
【図４】
0005802538.tif 000005
【図５】
0005802538.tif 000006
【図６】
0005802538.tif 000007
【図７】
0005802538.tif 000008
【図８】
0005802538.tif 000009
【図９】
0005802538.tif 000010
【図１０】
0005802538.tif 000011
【図１１】
0005802538.tif 000012
【図１２】
0005802538.tif 000013
【図１３】
0005802538.tif 000014
【図１４】
0005802538.tif 000015
【図１５】
0005802538.tif 000016
【図１６】
0005802538.tif 000017
【図１７】
0005802538.tif 000018